(57)【特許請求の範囲】
【請求項１】
浴室の天井パネルの開口に設置されたスピーカーの裏側を覆う防音カバーであって、該防音カバーは、硬質樹脂製で内側が空洞の円錐形状に形成されており、前記スピーカーと前記防音カバーとの間に円錐空間が形成されていることを特徴とするスピーカーの防音カバー。
【発明の詳細な説明】
【技術分野】
【０００１】
本発明は、スピーカーの防音カバーに関するものである。
【背景技術】
【０００２】
従来、特許文献１，特許文献２，特許文献３に開示されているように、スピーカーからの音洩れを防ぐために、スピーカーの裏面に、お椀形やコップ形等の様々な形状の吸音材を設置する構成が提案されている。
【特許文献１】実用新案登録第２５２５４０４号公報
【特許文献２】実公昭５１−１５４７３号公報
【特許文献３】特開平１１−４１６８０号公報
【発明の開示】
【発明が解決しようとする課題】
【０００３】
しかしながら、吸音材では、特性に見合った周波数の音しか消音することができず、また、質量が軽いために、低周波の音を消音することができず、吸音材の厚みも２０ｍｍ程度のものが必要となり、サイズが大きくなってしまうという問題点があり、また、吸音材は材質が軟らかいために形状が変形し易く、潰れてしまう可能性があるという問題点があった。
【課題を解決するための手段】
【０００４】
本発明は上記従来の問題点に鑑み案出したものであって、サイズを小さくすることができて、良好な防音効果が得られ、しかも、変形し難いスピーカーの防音カバーを提供するものであり、その請求項１は、浴室の天井パネルの開口に設置されたスピーカーの裏側を覆う防音カバーであって、該防音カバーは、硬質樹脂製で内側が空洞の円錐形状に形成されており、前記スピーカーと前記防音カバーとの間に円錐空間が形成されていることである。
【発明の効果】
【０００５】
本発明のスピーカーの防音カバーは、防音カバー内で音が反射して打ち消し合い、可聴域のほぼ全域で消音することができ、また、硬質樹脂のため振動が少なく、音の外側への洩れが少なくなり、また、防音カバーは天井パネルへの設置時に形状が変形し難く、施工時に潰れることもなく、長年使用による劣化も少ないものとなる。
【実施例】
【０００６】
以下、本発明の実施例を図面に基づいて説明する。
図１は、浴室の概略構成図であり、浴室１は、床パン２の外周側に壁パネル３，３を立ち上げ、天井パネル４で天井面が形成されており、床パン２上に設置された浴槽５の上方の壁パネル３に浴室テレビ６が設けられており、本例では、この浴室テレビ６と接続されたスピーカー７が天井パネル４に設置されて、スピーカー７の天井パネル裏には防音カバー８が設けられている。
なお、図中９はテレビチューナーボックスであり、図中１０はリモコンである。
【０００７】
図２に拡大して示すように、天井パネル４に上下に貫通して貫通開口を形成させておき、この開口内にスピーカー７が嵌め込まれて設置されており、スピーカー７の浴室内側にはスピーカーカバー７ａが取り付けられている。このスピーカー７の裏側を覆う防音カバー８は、本例では円錐形状に硬質樹脂で形成されたものである。
【０００８】
防音カバー８は、図３に斜視図で、また図４の縦断面構成図で示すように、頂部８ｂから下方に向かって拡径する円錐部８ａの下端に、外側へ突出してフランジ部８ｃが一体形成されたものとなっており、このフランジ部８ｃの一部にスピーカー７のコードを通すためのコード通し孔８ｄが形成されている。
本例の防音カバー８は、例えば、ＡＢＳ樹脂あるいはポリプロピレン等の硬質樹脂製で、その厚みは２ｍｍに形成されている。
【０００９】
なお、このような防音カバー８でスピーカー７の裏側を覆った場合の防音効果を図５のグラフで示す。
図５では、縦軸が音圧レベルを、横軸が周波数を示しており、スピーカー７の裏側に何らカバーを設けなかったカバー無し状態での測定結果を白抜きで示し、円錐形の防音カバー８でスピーカー７を覆った状態での測定結果を黒塗りで示している。
なお、測定値は、スピーカー７の上方３００ｍｍに配置した騒音計マイクで測定したものである。
【００１０】
図５に示すように、円錐形の防音カバー８で覆った場合には、可聴域のほぼ全域で防音効果が得られたことが確認できる。
なお、防音カバー８は硬質樹脂で円錐形状に形成されているため、防音カバー８の内周壁でスピーカー７からの音が反射して打ち消し合い、全体的に消音されるものと考えられる。即ち、円錐形状であるため、内側の縦横寸法は全て違うために、音が反射して同じ所を戻ることはないため、音が増幅されることがなく良好に消音されるものと考えられる。
また、防音カバー８は、硬質樹脂製であるため振動が少なく、振動による外側への音の洩れも防ぐことができるものと考えられる。
なお、防音カバー８の頂部８ｂを通る鉛直線上では、音の波長との関係で、往復する音波が重なる定在波が発生するが、ピンポイントの部分であるため、全体的には良好に可聴域のほぼ全域で消音効果が得られるものとなる。
【００１１】
なお、防音カバー８は硬質樹脂であるため、変形し難く劣化も少ないものであり、図２のように、フランジ部８ｃの裏面に両面テープ１１を貼り付け、両面テープ１１を介して天井パネル４の裏側に貼り付けて良好に施工することができ、施工時に変形することもない。
【００１２】
なお、図６は変形例を示すものであり、図６では、スピーカー７の裏側を半球状の防音カバー８１で覆ったものである。
この半球状の防音カバー８１にも下端外周にフランジ部８１ｃが形成されており、このフランジ部８１ｃの裏側に両面テープ１１を貼着して、両面テープ１１を介しフランジ部８１ｃを天井パネル４の裏側に貼着して、天井裏に良好に設置できるものである。
【００１３】
このような半球形状の防音カバー８１で、スピーカー７の裏側を覆った場合の防音効果を図７に示す。
図７では、前記円錐形の防音カバー８による防音効果ほどの効果は得られていないが、可聴域のほぼ全域で良好な防音効果が得られることが確認されている。
【００１４】
なお、図８で示す防音効果のグラフは、スピーカー７の裏側を、上面が平らな有蓋円柱形状の防音カバーで覆った場合の測定結果である。
有蓋円柱形状の防音カバーでは、上面が平らであり、側面は円柱状であるため、縦方向横方向とも寸法が一定であるため、スピーカー７から発せられた音波が同じ所に戻り、音波が重なって増幅されるために、防音効果の少ない可聴域が存在することとなる。
【００１５】
なお、発明者らは、更に図９に示すように、発泡ウレタン製で円錐形状に形成した防音カバーで覆った場合の測定を試みており、図９に示すように、発泡ウレタン製の防音カバーでは、厚みが相当大であっても、白抜きで示すカバー無しの場合とさほど差異はなく、良好な防音効果が得られないことを確認している。
このように、発泡ウレタン製等の吸音材では、質量が軽いために低周波の音を消音することができず、また、音が直接吸音材を透過して外に洩れるものと考えられる。
【００１６】
なお、上記実施例では、円錐形の防音カバー８および半球状の防音カバー８１の厚みを２ｍｍに設定したものを例示しているが、厚みは１〜４ｍｍ程度の厚みであれば良く、厚みを薄くして全体のサイズを小さく設定できるものである。
なお、円錐形の防音カバー８または半球形の防音カバー８１の何れにおいても、２枚，３枚，４枚と複数枚重ね合わせて用いることができ、重ね合わせることにより、より高い防音効果を確保できるものであり、２０Ｈｚから２０ｋＨｚの可聴域のほぼ全域で確実な防音効果が得られるものとなる。
【００１７】
なお、図６に示す半球状の防音カバー８１を用いる場合は、定在波の発生を防ぐために、半球状の球の中心と音源をずらして防音カバー８１を設置すると、より良好な防音効果を期待できる。
【００１８】
なお、本例では、浴室の天井に設けたスピーカーに対し、天井裏に防音カバー８，８１を設置する場合を例示しているが、このような防音カバー８，８１は、スピーカーボックス内等において、スピーカーの裏側に被せて用いることで、良好な防音効果を得ることができるものである。
【図面の簡単な説明】
【００１９】
【図１】浴室の概略構成図である。
【図２】浴室の天井に設けたスピーカーの裏側を円錐形状の防音カバーで覆った状態の要部拡大構成図である。
【図３】図２の防音カバーの斜視構成図である。
【図４】図３の防音カバーの縦断面図である。
【図５】円錐形の防音カバーを用いた場合の防音効果を示す測定グラフである。
【図６】半球状の防音カバーでスピーカーを覆った場合の図２に対応した要部拡大構成図である。
【図７】図６の半球状の防音カバーを用いた場合の防音効果を示す測定グラフである。
【図８】有蓋円柱状の防音カバーを用いた場合の防音効果を示す測定グラフである。
【図９】発泡ウレタン製の吸音材による防音カバーを用いた場合の防音効果を示す測定グラフである。
【符号の説明】
【００２０】
１  浴室
４  天井パネル
７  スピーカー
７ａ  スピーカーカバー
８  防音カバー
８ａ  円錐部
８ｂ  頂部
８ｃ  フランジ部
１１  両面テープ
８１  防音カバー
８１ｃ  フランジ部
【図１】
0004776318.tif 000002
【図２】
0004776318.tif 000003
【図３】
0004776318.tif 000004
【図４】
0004776318.tif 000005
【図５】
0004776318.tif 000006
【図６】
0004776318.tif 000007
【図７】
0004776318.tif 000008
【図８】
0004776318.tif 000009
【図９】
0004776318.tif 000010